(57)【特許請求の範囲】
【請求項１】
無線信号を送信する複数の送信機と、
前記送信機から送信された前記無線信号を受信する受信機と、を備える無線通信システムにおいて、
前記無線信号は、送信期間と非送信期間とを繰り返す所定パターンで送信される情報データと、前記情報データの直前に直前非送信期間を設けて前記送信機ごとに予め設定された周波数の搬送波によって送信されるデータ開始信号と、前記情報データの直後に直後非送信期間を設けて送信されるデータ終了信号と、を含み、
前記受信機は、前記周波数の前記データ開始信号を受信した後に予め保管された前記所定パターンに同期して受信し、前記データ終了信号を受信するまでに受信した前記情報データを、受信情報として出力し、
前記送信機から送信される前記無線信号の前記情報データは、該送信機から送信される前記データ開始信号の前記周波数とは異なる周波数の搬送波によって前記送信期間ごとにホッピングさせていることを特徴とする無線通信システム。
【請求項２】
前記データ開始信号は、前記周波数が前記送信機ごとに異なる１ビット信号に設定されていることを特徴とする請求項１に記載の無線通信システム。
【請求項３】
前記無線信号は、前記周波数の搬送波によって送信される前記データ開始信号と、前記直前非送信期間を設けて前記所定パターンで送信される前記情報データと、前記情報データの直後に前記直後非送信期間を設けて送信される前記データ終了信号と、からなり、複数回繰り返されて送信されることを特徴とする請求項１ないし請求項２のいずれかに記載の無線通信システム。
【請求項４】
前記無線信号は、搬送波をオンオフすることによる１ビット通信信号であることを特徴とする請求項１ないし請求項３のいずれかに記載の無線通信システム。
【請求項５】
前記送信機の電源は、電磁誘導による誘導起電力であることを特徴とする請求項１ないし請求項４のいずれかに記載の無線通信システム。
【発明の詳細な説明】
【技術分野】
【０００１】
本発明は、複数の送信機からの無線信号を受信機に伝送する無線通信システムに関する。
【背景技術】
【０００２】
近年、遠隔地点に設置された各種機器の状態監視や測定機器からの測定データ等を、送信機からの無線信号として受信機に伝送する無線通信システムが普及している。この種の無線通信システムでは、１台の受信機が複数の送信機からの無線信号を受信する構成となっていることが多く、受信した無線信号が自システムの、どの送信機からの無線信号であるかを検出するための情報を送受信している（例えば、特許文献１）。
【０００３】
図５は、特許文献１に記載された無線通信システム１００の構成を示すブロック図である。図６は、従来の無線通信システム１００の無線信号のフォーマットを示す概略図である。無線通信システム１００は、複数の無線チャンネルを択一的に選択して無線信号を送信する複数の送信器１２０と、無線信号を受信する受信器１１０とを備える。
【０００４】
各送信器１２０は、例えば特定小電力無線局からなる送信部１２１をそれぞれ備えており、各送信器１２０の種別や所属するシステムの種別に応じた情報を含む無線信号を、受信器１１０に送信している。受信器１１０は、例えばマイコンなどからなる制御部１１１と、例えば特定小電力無線局からなる受信部１１２と、不揮発性の半導体メモリからなる記憶部１１３と、液晶パネルやスイッチなどからなる操作入力部１１４とを備えている。受信部１１２は、制御部１１１の制御に応じて動作し、測定した信号強度が所定の閾値よりも高い場合には、その無線チャンネルに流れる無線信号を受信して制御部１１１に出力する。
【０００５】
送信器１２０が受信器１１０に送信する無線信号は、図６に示すようなフォーマットが採用されており、プリアンブルＰＡ、ユニークワードＵＷ、データＤＡ、及び、誤り検出符号ＣＲで構成されている。プリアンブルＰＡは、例えば「０」と「１」を交互に繰り返すビット同期パターンからなるビット列であり、先頭ビットは「０」、最終ビットは「１」に設定され、このビット列が６４ビット以上連続した場合に限ってそのビット列をプリアンブルＰＡとしてみなすことができる。ユニークワードＵＷは、プリアンブルＰＡとは異なるビットからなり、３２ビットの長さに設定されている。データＤＡは、送信した送信器１２０の識別用アドレス、及び、送信器１２０が送信を行う送信情報を含むビット列であり、送信する送信情報の内容に応じて、ビット長を可変とすることができる。誤り検出符号ＣＲはＣＲＣからなるビット列であり、送受信時において、少なくともデータＤＡを構成するビット列にビット反転などの異常を検出することができるように設定されている。受信器１１０は所定のスキャン周期ごとに、時分割によって各無線チャンネルをスキャンし、ビット同期パターンを含むプリアンブルＰＡを検出すると続くデータを受信する。
【先行技術文献】
【特許文献】
【０００６】
【特許文献１】特開２０１１−０６６５３０号公報
【発明の概要】
【発明が解決しようとする課題】
【０００７】
しかしながら、従来の無線通信システムでは、送信器の識別用アドレス及び送信する送信情報の送信時間よりプリアンブル等の送信時間が長くなってしまう問題があった。例えば、遠隔地点に設置された機器の送信機が小容量のバッテリーや環境発電装置を電源とする場合には、できるだけ低消費電力であることが要求される。送信機における消費電力は無線送信電力が大半を占めるため、送信時間が長い無線通信システムは送信機の消費電力が多くなってしまうという課題があった。
【０００８】
本発明は、上述した課題を解決するもので、送信機の消費電力を少なくできる無線通信システムを提供することを目的とする。
【課題を解決するための手段】
【０００９】
本発明の無線通信システムは、無線信号を送信する複数の送信機と、前記送信機から送信された前記無線信号を受信する受信機と、を備える無線通信システムにおいて、前記無線信号は、送信期間と非送信期間とを繰り返す所定パターンで送信される情報データと、前記情報データの直前に直前非送信期間を設けて前記送信機ごとに予め設定された周波数の搬送波によって送信されるデータ開始信号と、前記情報データの直後に直後非送信期間を設けて送信されるデータ終了信号と、を含み、前記受信機は、前記周波数の前記データ開始信号を受信した後に予め保管された前記所定パターンに同期して受信し、前記データ終了信号を受信するまでに受信した前記情報データを、受信情報として出力し、前記送信機から送信される前記無線信号の前記情報データは、該送信機から送信される前記データ開始信号の前記周波数とは異なる周波数の搬送波によって前記送信期間ごとにホッピングさせていることを特徴とする。
【００１０】
この構成によれば、送信機ごとに予め設定された周波数の搬送波によって送信されるデータ開始信号を受信し、送信機と受信機で予め保管された所定パターン及び周波数にて、データ開始信号に続いて所定パターンで送信される情報データを受信機で同期して受信するため、送信機が最短のデータ開始信号と情報データを送信するだけで誤動作せずに受信機で受信でき、送信機の消費電力を低減できる。
【００１１】
また、本発明の無線通信システムにおいて、前記データ開始信号は、前記周波数が前記送信機ごとに異なる１ビット信号に設定されていることを特徴とする。
【００１２】
この構成によれば、データ開始信号の周波数が各送信機で異なるので、受信機がデータ開始信号を受信するだけで、送信機から所定パターンで送信される情報データを受信する通信準備ができる。
【００１５】
また、本発明の無線通信システムにおいて、前記無線信号は、前記周波数の搬送波によって送信される前記データ開始信号と、前記直前非送信期間を設けて前記所定パターンで送信される前記情報データと、前記情報データの直後に前記直後非送信期間を設けて送信される前記データ終了信号と、からなり、複数回繰り返されて送信されることを特徴とする。
【００１６】
この構成によれば、無線信号は複数回繰り返されて送信されるので、受信機が受信できる確率を向上させることができる。とくに、短い無線信号で送信できるので、送信機の電力が少ない場合であっても繰り返す回数を増やすことができる。
【００１７】
また、本発明の無線通信システムにおいて、前記無線信号は、搬送波をオンオフすることによる１ビット通信信号であることを特徴とする。
【００１８】
この構成によれば、搬送波が所定の送信期間にオンであるときに１、オフであるときに０、とする１ビット通信とすることによって、少ない電力で送信できる。
【００１９】
また、本発明の無線通信システムにおいて、前記送信機の電源は、電磁誘導による誘導起電力であることを特徴とする。
【００２０】
この構成によれば、誘導起電力によって送信機の電力をまかなうので、送信機にバッテリーや受電用の配線を接続しなくてもよい。このため、小型軽量で、設置自在にすることができる。
【発明の効果】
【００２１】
本発明によれば、送信機ごとに予め設定された周波数の搬送波によって送信されるデータ開始信号を受信し、送信機と受信機で予め保管された所定パターン及び周波数にて、データ開始信号に続いて所定パターンで送信される情報データを受信機で同期して受信する。このため、送信機が最短のデータ開始信号と情報データを送信するだけで誤動作せずに受信機で受信でき、送信機の消費電力を低減できる。したがって、送信機の消費電力を少なくできる無線通信システムを提供することができる。
【図面の簡単な説明】
【００２２】
【図１】本発明の実施形態の無線通信システムを示すブロック図である。
【図２】送信機の構成を示すブロック図である。
【図３】送信機から送信される無線信号を説明するタイムチャートであり、図３（ａ）は送信電力のタイムチャートであり、図３（ｂ）は搬送波の周波数のタイムチャートである。
【図４】受信機の受信信号強度を説明するタイムチャートである。
【図５】従来の無線通信システムの構成を示すブロック図である。
【図６】従来の無線通信システムの無線信号のフォーマットを示す概略図である。
【発明を実施するための形態】
【００２３】
［第１実施形態］
以下、本発明の実施の形態について図面を用いて詳細に説明する。なお、分かりやすいように、図面は寸法を適宜変更している。
【００２４】
図１は、本発明の実施形態の無線通信システム１を示すブロック図である。図２は、送信機２０の構成を示すブロック図である。図３は、送信機２０から送信される無線信号を説明するタイムチャートであり、図３（ａ）は送信電力のタイムチャートであり、図３（ｂ）は搬送波の周波数のタイムチャートである。図４は、受信機の受信信号強度を説明するタイムチャートである。
【００２５】
本実施形態の無線通信システム１は、図１に示すように、無線信号を送信する複数の送信機２０と、送信機２０から送信された無線信号を受信する受信機１０と、を備えている。受信機１０は、送信機２０から送信された無線信号を受信可能な受信部１０ａを備え、受信部１０ａが受信した無線信号から情報データを得て、受信情報として出力する。受信システム５０は、複数の受信機１０と情報処理部４０とを備え、受信情報を無線通信システム１の目的に応じて処理する。
【００２６】
送信機２０は、図２に示すように、送信部２０ａ、制御部２０ｂ、及び電源部２０ｃを備えている。送信部２０ａは、無線信号を送信する機能を有する電子回路とアンテナからなる。制御部２０ｂは、情報データを含む無線信号を準備する機能を有する電子回路であり、図示しない演算処理部や記憶部を備えている。電源部２０ｃは、送信部２０ａ及び制御部２０ｂに必要な電力を供給する機能を有し、本実施形態では、発電部２０ｄと電源回路部２０ｅとを備えている。発電部２０ｄは、電磁誘導による誘導起電力を発生させる環境発電装置である。電源回路部２０ｅは、発電部２０ｄが発生した電力を所望の状態に調整する電子回路である。
【００２７】
本実施形態の無線通信システム１に用いられている発電部２０ｄは、駆動軸の移動によって永久磁石がコイルに対して相対移動し、コイルに電流を発生させるものである。なお、発電部２０ｄは、電磁誘導方式の環境発電装置に限らず、例えば圧電方式のものであってもよい。これらの場合、発生する電力が一定でなく、電源回路部２０ｅによって所望の直流電圧に整流されてから供給される。また、発生する電力が比較的一定であるような環境発電装置を用いる場合には、電源回路部２０ｅがより簡単になり、例えば、定電圧回路と呼ばれるものでよい。本実施形態では発電部２０ｄを有する電源部２０ｃを備えている構成としたが、バッテリーを内蔵した電源部を備えている場合であっても、以下に説明する無線信号は同じである。
【００２８】
本実施形態の無線通信システム１では、図３に示す無線信号が送信機２０の送信部２０ａから送信される。無線信号はデータ開始信号ＳＴ、情報データＤａ、Ｄｂ、Ｄｃ、及びデータ終了信号ＳＯを含んでいる。
【００２９】
図３（ａ）に示すように、無線信号は、送信期間Ｔｏｎと非送信期間Ｔｏｆｆとを繰り返す所定パターンＴａで送信される。図３（ａ）に示す事例では、最初の送信期間Ｔｏｎでデータ開始信号ＳＴが送信される。直前非送信期間Ｔｏｆ１経過後、情報データＤａ、Ｄｂ、Ｄｃが、それぞれ、送信期間Ｔｏｎと非送信期間Ｔｏｆｆとを繰り返す所定パターンＴａで送信される。直後非送信期間Ｔｏｆ２に続く送信期間Ｔｏｎでは、データ終了信号ＳＯが送信される。このとき、図３（ｂ）に示すように、最初の送信期間Ｔｏｎでは搬送波の周波数が予め設定された周波数Ｆ１であり、その後の送信期間Ｔｏｎで、順にＦ１ａ、Ｆ１ｂ、Ｆ１ｃ、Ｆ１ｄの周波数にホッピングさせる。なお、図３（ａ）の情報データＤｂでは送信電力がゼロであり、図３（ｂ）の周波数Ｆ１ｂの搬送波は送信されていない仮想のものである。
【００３０】
無線信号は、搬送波をオンオフすることによる１ビット通信信号である。すなわち、搬送波が所定の送信期間Ｔｏｎにオンであるときに１、オフであるときに０である。情報データＤａ、Ｄｂ、Ｄｃは、３ビットのデジタル情報を意味している。図３（ａ）の事例では、（１０１）を表している。所定パターンＴａの繰り返し回数で情報量を増やすことができ、例えば８回の場合には８ビットのデジタル情報を送信できる。しかしながら、従来の無線信号は、このような３ビット〜８ビットの情報量が比較的少ないデジタル情報を送信する場合であっても、プリアンブル等の送信時間が長くなってしまう問題があった。
【００３１】
本実施形態の無線通信システム１では、情報データＤａの直前に直前非送信期間Ｔｏｆ１を設けてデータ開始信号ＳＴが送信される。データ開始信号ＳＴは、周波数Ｆ１の搬送波で送信される。図３（ａ）の事例では、データ開始信号ＳＴが１ビット信号に設定されている。ただし、送信可能なデータ開始信号ＳＴはデジタル値が「１」の１ビット信号であり、デジタル値が「０」の１ビット信号ではない。
【００３２】
また、情報データＤｃの直後に、直後非送信期間Ｔｏｆ２を設けてデータ終了信号ＳＯが送信される。図３（ａ）の事例では、データ終了信号ＳＯが１ビット信号に設定されている。ただし、送信可能なデータ終了信号ＳＯはデジタル値が「１」の１ビット信号であり、デジタル値が「０」の１ビット信号ではない。
【００３３】
なお、直前非送信期間Ｔｏｆ１及び直後非送信期間Ｔｏｆ２は、非送信期間Ｔｏｆｆと等しい。以上の無線信号は、データの送信開始と送信終了を認識させるための送信時間が最短であり、これによって、情報量の少ないデジタル情報を送信する場合に必要な送信時間が大幅に短縮される。
【００３４】
さらに、情報データＤａ、Ｄｂ、Ｄｃの搬送波が、図３（ｂ）に示すように、データ開始信号ＳＴの搬送波の周波数Ｆ１からホッピングさせた周波数Ｆ１ａ、Ｆ１ｂ、Ｆ１ｃに変化している。さらに、データ終了信号ＳＯは、周波数Ｆ１と異なる周波数Ｆ１ｄにホッピングさせている。
【００３５】
本実施形態の無線通信システム１では、無線信号が、図３（ａ）に示す送信期間Ｔｏｎと非送信期間Ｔｏｆｆとを繰り返す所定パターンＴａで送信され、続いて、非送信期間Ｔｏｆｆより間隔を空けてから、再び図３（ａ）に示す繰り返しパターンＴｂで繰り返し送信される。この無線信号は、発電部２０ｄの発生電力によって送信部２０ａに必要な電力が供給されている限り繰り返すことが可能であるが、予め繰り返し回数を設定しておくことが好ましい。
【００３６】
本実施形態の無線通信システム１では、図１に示す送信機２０ごとに、図３に示すデータ開始信号ＳＴの搬送波の周波数Ｆ１が異なるように予め設定されている。搬送波の第１周波数Ｆ１が異なる送信機２０ごとに対応して、送信機２０の台数分の受信機１０が用意されている。
【００３７】
それぞれの受信機１０は、それぞれ異なる周波数Ｆ１を受信できる状態に予め設定され、対応する送信機２０からのデータ開始信号ＳＴを待ち受けている。
【００３８】
受信機１０は、周波数Ｆ１の受信信号強度（ＲＳＳＩ）が検出閾値を超えたときに、所定パターンＴａで無線信号を受信できるように同期する。図４は図３（ａ）に示す無線信号を受信した場合の受信機１０の受信信号強度（ＲＳＳＩ）を示すタイムチャートである。
【００３９】
送信機２０からの無線信号が図３に示す所定パターンＴａで繰り返されるので、受信機１０の受信信号強度（ＲＳＳＩ）も送信期間Ｔｏｎに対応する期間に検出される。さらに、データ開始信号ＳＴの搬送波の周波数Ｆ１からホッピングさせた周波数Ｆ１ａ、Ｆ１ｂ、Ｆ１ｃに変化するので、受信機１０の受信周波数を対応させて変化させることによって受信信号強度（ＲＳＳＩ）が検出される。もし、周波数Ｆ１の受信信号が送信機２０からの無線信号でない妨害電波であれば、その後に予め保管された所定パターンＴａでの繰り返し及び周波数ホッピングを受信することはあり得ない。したがって、図４に示すように、予め保管された所定パターンＴａに同期して受信信号強度（ＲＳＳＩ）を受信した場合には、送信機２０からの無線信号であることが明らかである。したがって、データ開始信号ＳＴに続いて送信された情報データＤａ、Ｄｂ、Ｄｃを３ビットのデジタル情報の受信情報として出力する。
【００４０】
本実施形態の無線通信システム１では、無線信号が、非送信期間Ｔｏｆｆより間隔を空けてから繰り返しパターンＴｂで繰り返し送信される。無線信号は複数回繰り返されて送信されるので、受信機１０が受信できる確率を向上させることができる。とくに、短い無線信号で送信できるので、送信機２０の電力が少ない場合であっても繰り返す回数を増やすことができる。そして、受信機１０は繰り返しパターンＴｂで受信した後は、その繰り返しの無線信号を受信情報として繰り返し出力することとなる。図１に示す情報処理部４０では、繰り返される無線信号をいったん記憶して比較し、正しい情報を選択することができる。
【００４１】
なお、より正しい信号を選択することができるようにするため、送信すべき情報データＤａ、Ｄｂ、Ｄｃに加えて、その後にパリティ信号を送信するように追加してもよい。
【００４２】
また、受信システム５０は複数の受信機１０と情報処理部４０とを備えるとしたが、複数の受信機１０がそれぞれ情報処理部を備えるものであってもよい。また、図１を参照して、受信機１０を複数台備えた受信システム５０として説明したが、これに限らず、例えば、受信部を複数個備え、複数の受信部に対応して複数の出力が得られる受信機で無線通信システムを構成してもよい。
【００４３】
本実施形態の無線通信システム１では、図３（ａ）に示すように、送信電力が送信期間Ｔｏｎの合計時間以内の時間であるので、非送信期間Ｔｏｆｆを含む繰り返しパターンＴｂの時間に比べて送信機２０の電力は少なくできる。さらに、データ開始信号ＳＴとデータ終了信号ＳＯを１ビット信号に設定しているため、それらに要する送信電力が最小で済む。また、送信機２０ごとにデータ開始信号ＳＴの搬送波の周波数Ｆ１を変えているので、受信機１０がデータ開始信号ＳＴを受信するだけで、送信機２０から所定パターンＴａで送信される情報データＤａ、Ｄｂ、Ｄｃを受信する通信準備ができる。
【００４４】
以下、本実施形態としたことによる効果について説明する。
【００４５】
本実施形態の無線通信システム１は、無線信号を送信する複数の送信機２０と、送信機２０から送信された無線信号を受信する受信機１０と、を備える。無線信号は、送信期間Ｔｏｎと非送信期間Ｔｏｆｆとを繰り返す所定パターンＴａで送信される情報データＤａ、Ｄｂ、Ｄｃと、情報データＤａの直前に直前非送信期間Ｔｏｆ１を設けて送信機２０ごとに予め設定された周波数Ｆ１の搬送波によって送信されるデータ開始信号ＳＴと、情報データＤｃの直後に直後非送信期間Ｔｏｆ２を設けて送信されるデータ終了信号ＳＯと、を含む。受信機１０は、周波数Ｆ１のデータ開始信号ＳＴを受信した後に予め保管された所定パターンＴａに同期して受信し、データ終了信号ＳＯを受信するまでに受信した情報データＤａ、Ｄｂ、Ｄｃを、受信情報として出力する。
【００４６】
この構成によれば、送信機２０ごとに予め設定された周波数Ｆ１の搬送波によって送信されるデータ開始信号ＳＴを受信する。そして、送信機２０と受信機１０で予め保管された所定パターンＴａ及び周波数にて、データ開始信号ＳＴに続いて所定パターンＴａで送信される情報データＤａ、Ｄｂ、Ｄｃを受信機１０で同期して受信する。このため、送信機２０が最短のデータ開始信号ＳＴと情報データＤａ、Ｄｂ、Ｄｃを送信するだけで誤動作せずに受信機１０で受信でき、送信機２０の消費電力を低減できる。
【００４７】
また、本実施形態の無線通信システム１において、データ開始信号ＳＴは、周波数Ｆ１が送信機２０ごとに異なる１ビット信号に設定されている。
【００４８】
この構成によれば、データ開始信号ＳＴの周波数Ｆ１が各送信機２０で異なるので、受信機１０が１ビット信号であるデータ開始信号ＳＴを受信するだけで、送信機２０から所定パターンＴａで送信される情報データＤａ、Ｄｂ、Ｄｃを受信する通信準備ができる。
【００４９】
また、本実施形態の無線通信システム１において、送信機２０から送信される無線信号の情報データＤａ、Ｄｂ、Ｄｃは、送信機２０から送信されるデータ開始信号ＳＴの周波数Ｆ１とは異なる周波数の搬送波によって送信期間Ｔｏｎごとにホッピングさせている。
【００５０】
この構成によれば、周波数をホッピングさせて送受信するので、妨害電波に強いものにできる。
【００５１】
また、本実施形態の無線通信システム１において、無線信号は、周波数Ｆ１の搬送波によって送信されるデータ開始信号ＳＴと、直前非送信期間Ｔｏｆ１を設けて所定パターンＴａで送信される情報データＤａ、Ｄｂ、Ｄｃと、情報データＤａ、Ｄｂ、Ｄｃの直後に直後非送信期間Ｔｏｆ２を設けて送信されるデータ終了信号ＳＯと、からなり、複数回繰り返されて送信される。
【００５２】
この構成によれば、無線信号は複数回繰り返されて送信されるので、受信機１０が受信できる確率を向上させることができる。とくに、短い無線信号で送信できるので、送信機２０の電力が少ない場合であっても繰り返す回数を増やすことができる。
【００５３】
また、本実施形態の無線通信システム１において、無線信号は、搬送波をオンオフすることによる１ビット通信信号である。
【００５４】
この構成によれば、搬送波が所定の送信期間Ｔｏｎにオンであるときに１、オフであるときに０、とする１ビット通信とすることによって、少ない電力で送信できる。
【００５５】
また、本実施形態の無線通信システム１において、送信機２０の電源は、電磁誘導による誘導起電力である。
【００５６】
この構成によれば、誘導起電力によって送信機２０の電力をまかなうので、送信機２０にバッテリーや受電用の配線を接続しなくてもよい。このため、小型軽量で、設置自在にすることができる。
【００５７】
以上のように、本発明の実施形態の無線通信システム１を具体的に説明したが、本発明は上記の実施形態に限定されるものではなく、要旨を逸脱しない範囲で種々変更して実施することが可能である。例えば次のように変形して実施することができ、これらも本発明の技術的範囲に属する。
【００５８】
（１）本実施形態において、データ開始信号ＳＴは、周波数Ｆ１が送信機２０ごとに異なる１ビット信号に設定されているとしたが、複数の送信機２０から送信される時刻が予め決まっている場合には周波数Ｆ１が同じであってもよい。また、１ビット信号でなく２ビットまたは３ビットの信号で構成して、データ開始信号ＳＴの送信で周波数ホッピングさせて、その検出を確実なものとするように変更してもよい。
【００５９】
（２）本実施形態において、情報データＤａ、Ｄｂ、Ｄｃは、周波数Ｆ１とは異なる周波数の搬送波によって送信期間Ｔｏｎごとにホッピングさせているとしたが、妨害電波の影響が少ない環境下であれば、周波数ホッピングしないものであってもよい。この場合は、妨害電波があったタイミングでは検出困難となるが、繰り返して送信することによって、その確率を少なくすることができる。
【００６０】
（３）本実施形態において、無線信号は、搬送波をオンオフすることによる１ビット通信信号であるとしたが、上記のように周波数ホッピングを行わない場合には、搬送波が繰り返しパターンＴｂの時間にわたって連続送信されるものであってもよい。この場合、データ開始信号ＳＴ、情報データＤａ、Ｄｂ、Ｄｃ、及びデータ終了信号ＳＯを変調信号として送信する。
【符号の説明】
【００６１】
１      無線通信システム
１０    受信機
１０ａ  受信部
２０    送信機
２０ａ  送信部
２０ｂ  制御部
２０ｃ  電源部
２０ｄ  発電部
２０ｅ  電源回路部
４０    情報処理部
５０    受信システム
Ｄａ    情報データ
Ｄｂ    情報データ
Ｄｃ    情報データ
Ｆ１    周波数
ＳＯ    データ終了信号
ＳＴ    データ開始信号
Ｔａ    所定パターン
Ｔｂ    繰り返しパターン
Ｔｏｆｆ  非送信期間
Ｔｏｆ１  直前非送信期間
Ｔｏｆ２  直後非送信期間
Ｔｏｎ  送信期間
【図１】
0006548189.tif 000002
【図２】
0006548189.tif 000003
【図３】
0006548189.tif 000004
【図４】
0006548189.tif 000005
【図５】
0006548189.tif 000006
【図６】
0006548189.tif 000007